Podtech/llm-jp-corpus-v4-ja_patent huggingface dataset:
(57)【要約】【課題】本発明の供与体は、相対性モ−メント特性の相対関係を細孔構造・多孔質体の表面積の大きさの素材に適合することを特徴とし、広範用途の汎用多様目的シ−ト・カバ−を提供すること。【解決手段】本発明の、細孔構造・多孔質体に液類を吸着させる形成構成された多目的シ−ト・カバ−は、安心・安全・衛生面に優れ、しかも、安定供給・安価・脱臭・調湿・ガス吸着機能を有した多目的シ−ト・カバ−が提供できる。【選択図】なし【特許請求の範囲】
【請求項１】
所定の長さと所定の幅を略円形状に形成し、伸縮可能シ−トに縁部の鳩目にヒモ状・ゴム状の係止部材よって構成したことを特徴とする多目的シ−ト・カバ−。
【請求項２】
前記、シ−ト・カバ−の素材は、不織物・市販のシ−ト・カバ−の特性を活用し、略円形状形成し、回転軸距離変更可保持し、折り畳みし得る係着部材を構成したことを特徴とする多目的シ−ト・カバ−。
【請求項３】
前記、係止部材はシ−ト・カバ−から脱着可能を特徴とする多目的シ−ト・カバ−。
【請求項４】
請求項１，２，３記載のシ−ト・カバ−とその製造方法の趣旨を逸脱しない範囲の変更は、本発明に含まれる。
【発明の詳細な説明】
【技術分野】
【０００１】本発明は、細孔構造を有している不織布特性の機能を有した通気性シ−ト・カバ−又は、市販の特性素材で構成された多目的シ−ト・カバ−とその製造方法に関する。【０００２】本発明の多目的シ−ト・カバ−は、水分付着・湿気付着・腐食等による防止・濾過材シ−ト等汎用性使用に関する。
【背景技術】
【０００３】シ−ト・カバ−に関する技術は、縦長・横長・正方形形状を有しており、回転軸モ−の特性線要求の自在形態を抑え切れない課題を残している。従来のシ−ト・カバ−は、適性使用・保管の中心・外周の伸縮面において担体量面積にも課題を残している。【０００４】従来、上記のとおり、シ−ト・カバ−は担体として実用されているが、所用直径円形構成の汎用性・多様性効果による要求性能開発が望まれる。
【発明の開示】
【発明が解決しようとする課題】
【０００５】従来のシ−ト・カバ−は、基本的に単体使用であり、使用前・使用後の処理において、経済上および環境汚染上に難点があるが、本発明の多目的シ−ト・カバ−は、産業上の利用汎用性を有し、経済的にも環境汚染においいても安全・安心・安価である。【０００６】本発明を活用する場合は、より微細に、より多くの細孔構造を多く持つ多孔質体、表面積をもっての素材が適合し、吸着性が強く吸収効果が望まれ、濾過材にも適している。【０００７】本発明は、安定供給を可能とし、安心・安全・安価な多目的シ−ト・カバ−を提供する。
【課題を解決するための手段】
【０００８】本発明の多目的シ−ト・カバ−は、細孔構造、多孔質体素材は、吸着特性を発揮し、水分蒸発を保持され、多孔質体を基材としたその効果を特徴とする。【０００９】本発明における多目的シ−ト・カバ−は、収納位置と使用位置の安定要求の充足機能があり、その表面積の大きさの特性が落下モ−メント・上昇モ−メントの適性相対を容易とする。その効果の活用を特徴とした。
【発明の効果】
【００１０】本発明の多目的シ−ト・カバ−は、多孔質と表面積の大きさの特徴を活用とした。
その製造は、高性能が発揮され、安価・安定供給、しかも、製造工程は特別な技術を要しない素材活用を特徴とした。【００１１】本発明の多目的シ−ト・カバ−は、特性組成多孔質体調湿供与体形成により、有効に取り組むことができる。【００１２】本発明の多孔質体シ−ト・カバ−は、脱臭・調湿・ガス吸着機能の特性から、量の大・小の荷物の収納型多目的・荷物押さえ・汚損防止・湿気・ぬれ防止・通気性シ−ト・カバ−・各種敷物・シ−ツの代用・ペットの敷物・テ−ブルクロス・食品包装・敷物による食品鮮度保持等を可能とする。【００１３】本発明の素材は、有害物質は発生しない・安価を特徴とする。。【００１４】本発明の製造技術は単純であり高度技術を要しない。
【発明を実施するための最良の形態】
【００１５】多目的シ−ト・カバ−は、好ましくは、パルプ・レ−ヨン・ポリプロレン等の素材を所定の厚さを有する不織物の形成を用途によって、厚み・円形形状構成が望ましい。【００１６】この発明の多目的シ−ト・カバ−は、［００１２］記載のように使用し、保水容量のある液状保持性の特徴を有している。【００１７】更に、園芸・庭園の風雪から守る樹木の保護支柱を要しない包み込み保護カバ−・シ−トに適した合理的なモ−メントの特性形成の相対性が特徴。【００１８】この実施例については、多孔質体の細孔構造や表面化学特性の供与体より、なる特異性の多目的シ−ト・カバ−を特徴する。
【産業上の利用可能性】
【００１９】本発明の円形機能構成の多目的シ−ト・カバ−は、多目的な汎用性があり、水分・湿気防止・食品保存技術・カビ・細菌防止・酸化防止・品質劣化防止・消臭機能等の特徴を提供する。【００２０】本発明の相対性を可能とし、各特性を適切かつ容易な多目的使用を省力運搬、工程、取扱が有用に活用できる。【００２１】多目的乾燥剤シ−ト・カバ−は、食品保存、医薬品保存等、品質保持用途に汎用されることを特徴とした。
(57)【要約】【課題】本発明は、汚水から起因する環境汚染を空気・液体浄化濾過・除去材でもって、消臭、魚類保護、植物の生息できる環境を提供することにある。しかも、高度な設備費用を必要としない安価に提供することを目的とする。【解決手段】請求項１記載の繊維形成効果の目的・木酢液の成分を珪藻土・ゼオライト・木質破片・おがくず・植物焼成粒・籾殻焼成粒の多孔質体の濾過材に含有・吸着させることにより塩素除去・酸化触媒反応をおこさせる。空気臭気物質を酸化分解させることにより、酸化触媒し反応する臭気物質を分解させる。蛋白質の腐敗臭、動物の排泄物質等の分解チッソ、リンサン等の残留農薬の吸着分解、流失油等の有害物質の吸着、静菌作用、酸度調整による有効微生物の生息環境を整え優れた効果を発揮する。超微細、超多孔質の天然素材は残留農薬や重金属を吸着分解する。においの二次発生源である雑菌の繁殖を防止し脱臭効果がある。多孔質濾過材処理においては、アンモニア、チッソの除去。重金属イオンの吸着除去、染色排水の脱色浄化、放射性廃水の処理、硬水の軟水化をする。アンモニアガスの吸着もあり、ガス体の分離として酸素、チッソの分離をする。アンチニア、チッソの吸着による脱臭作用、環境改善をし、環境保護、保全に貢献することを特徴とする。【選択図】なし【特許請求の範囲】
【請求項１】
空気・液体の浄化処理・濾過・除去材として不織布・炭素繊維・ガラス繊維・天然高分子化学繊維・多孔質の植物焼成粒・籾殻焼成粒・シリカ焼成粒のシリカ構造の極微細な空孔を形成する水質浄化処理・濾過材の繊維形成されていることを特徴とするフイルタとその製造方法。
【請求項２】
請求項１の単一・複数化合を形成する水質浄化処理・濾過材記載のフイルタとその製造方法。
【請求項３】
上記の趣旨を逸脱しない濾過・除去を目的とする範囲の変更は、本発明に含まれる。
【発明の詳細な説明】
【技術分野】
【０００１】本発明は、空気・液体の浄化を濾過・除去材の繊維形成の向上を図り、環境改善・保護・保全に寄与する。
微生物を多孔質体に濾過含浸させ生息させることにより、物理的に濾過集積の改善・有益バクテリアの生息・定着に有効面積の生物的浄化性能の改善をする。
汚水の有機物を炭酸ガスと水に分解低減させる液体浄化濾過・除去材に関する。
【背景技術】
【０００２】生ゴミ、生活汚泥、農業汚泥、産業汚泥、下水汚泥による悪化が進んでいることから、悪臭、魚類、植物の生息環境の空気・液体に問題が起きている。
対策として設備・機材が投入されているが、十分な汚水処理対策にいたっていない。
【発明の開示】
【発明が解決しようとする課題】
【０００３】本発明は同発明者の特許公開２００７−３０１５４３を活用し、汚れ・化学物質・重金属・リン・チッソ・アンモニアを多孔質体が、重金属など、汚れを吸着し微生物・細菌類を自然分解させることにより微生物担体の栄養分に変えることにより水質浄化し自然環境を復元させる。【０００４】本発明の液体浄化処理濾過・除去材は、多孔質の植物焼成粒・籾殻焼成粒の使用が好ましい。さらに、秋田県北秋田市より産出する多孔質珪藻土。ゼオライトは秋田県能代市二ツ井より産出する鉱物。これらを単一・混合することが望ましい。木酢液については、北秋田市産地品を活用し、日本木酢液協会の方法で分析し、木酢液の企画に定めされた品質でもっての使用であり、フェノール類を含む効果から消毒、消臭、脱臭、防菌等に効果がある。（木酢液は日本木酢液協会の認定恊議会の認定品を使用）
この新技術は、環境ホルモンを含む処理用途に拡大できる。【０００５】本発明の液体浄化濾過・除去材を前述、請求項１のとうり繊維形成、請求項２の方法、さらに、木酢液の機能・性能と珪藻土、ゼオライト・おがくずの単一・有用性の組み合わせを環境改善材としての提供を目的とする。
【課題を解決するための手段】
【０００６】汚水処理については、数多くの提案がなされ実用化されているものの、設備投資額と多大なる費用と人力を必要としたが、生態系に汚染を引き起こしていた。
また、液体汚水及び重金属の液体浄化が河川に放出され自然汚染や二次製品による環境破壊、液体汚染、悪臭の空気汚染に問題があった。
珪藻土、ゼオライトを粉砕し８００度以上で焼成する処理方法。粉砕物質６０〜８０重量％混合物２０〜４０重量％を混合し、多孔質構造の機能を向上させたものを特徴とする。
本発明の液体浄化濾過・除去材は、汚水を分解し消臭を吸収分解する環境浄化材である。
珪藻土、ゼオライトの粒体１〜５ｍｍと炭素源としての、おがくず、木質破片、籾殻焼成粒子・植物焼成粒の単一・有用性との組み合わせをする。汚水の原因であるチッソやリンなどの物質浄化と液体浄化において微生物作用により汚泥分解作用がある。使用後は土壌改良剤として還元され資源循環型社会の推進とする。【０００７】前記大小多数の空孔形成は、物理的濾過性能増大し・表面積の増大・有益バクテリアの生息増大を促進し生物的濾過性能が増大し、液体浄化濾過・除去材が得られた。
【発明の効果】
【０００８】天然素材の珪藻土、ゼオライト、おがくず、木質破片、籾殻焼成粒・、植物焼成粒の有用な多孔質濾過材の特徴と細孔部に吸着保持された微生物の相乗効果による環境改善材を得ることができた
天然資源が有する特性から、独自効果の大きい作用が発見された。【０００９】さらに環境改良材として、持続的効果の得られることが発見された。【００１０】有用な微生物を多孔質体に付着、植え付け、浸透させることにより汚水の有機物を分解する。
本発明による液体浄化濾過・除去材は、安全性・経済性ともに優れ、低コストでしかも実用に優れた酸化分解を特徴とする環境用剤に関する。
【発明を実施するための最良の形態】
【００１１】珪藻土・ゼオライト・おがくず・木質破片・籾殻焼成粒・、植物焼成粒・木酢液の単一・混合物の多孔質濾過材をもって汚水及び有害物質を除去する。【００１２】本発明の液体浄化材は、天然多孔質物質濾過・除去材をベースとする。
【産業上の利用可能性】
【００１３】本発明に係る液体浄化濾過・除去材により、大小多数の空孔形成・物理的濾過集積反応・有益バクテリア生息の有効面積による生物的濾過性能・微生物の有機物の酸化分解作用が働き、液体浄化を多孔質濾過・除去材反応によって汚水を低減分解する。
【表１】
2012176390.tif 000002
【表２】
2012176390.tif 000003
(57)【要約】【課題】本発明は、植物栽培における培地仕込み工程において、水溶性成分含有物質組成の有効成分の抽出において殺菌する方法及び製造を提供する。【解決手段】本発明は、水溶性被抽出原料を浸透性のある袋状に入れ、それを電気分解酸性水に入れる事の効果で、殺菌作用が働き、さらにアルカリ性で中和反応されることで、抽出物成分組成抽出が効率良く製造され、することを特徴とする植物栽培における培地基材の処理方法。【選択図】なし【特許請求の範囲】
【請求項１】
緊急災害拡大防止用材の珪藻土顆粒を可燃物液体・気体・化学物質・特定化学物質の悪臭処理に多孔質のシリカを持つ珪藻土顆粒物質に結びつけた構造を特徴とする。
【請求項２】
上記、緊急災害拡大防止用材を、用途に応じてゼオライト顆粒を対象物体積％に多孔質のシリカ体積％で覆った顆粒構造をつくり、接触させることで、対象物を回収、散布、水没、分解せしめ、災害の拡大を防止することを特徴とする。
【請求項３】
上記の珪藻土顆粒・ゼオライト顆粒物質の使用を用途に応じて単一・混合処理効果の可能性を特徴とする。
【発明の詳細な説明】
【技術分野】
【０００１】本発明は緊急災害の拡大防止に対応できる効果的な対応用材に関するものである。
【背景技術】
【０００２】緊急災害拡大防止対応用材については数多くの提案がなされ、実用化されているものの無害化されるまでには、大量の水と中和剤を散布する必要があり手間やコスト面においても指摘されている。回収、除去においては、処理のコスト高と、水面火災発生には有効手段の無い現状にある。
【発明の開示】
【発明が解決しようとする課題】
【０００３】有効に確実かつ効率的な方法開発を目的とし、珪藻土顆粒・ゼオライト顆粒に有効活用することで効果があった。
気体の発生抑制、液体処理、水面火災の消火等は、珪藻土顆粒・ゼオライト顆粒の散布、水面没により緊急災害の拡大防止、ならびに発生が抑制できる。しかも、本発明用材は、極めて優れた効果があり、汎用性として活用できる。【０００４】珪藻土が注目されつつ、天然素材の効用、効能の効果に成果がある。北秋田市産地で有名な品質の良い珪藻土を用いることが好ましい。珪酸を主成分とし、一粒の大きさが約径０、０５ｍｍ、直径０、１〜０、２マイクロメートルの超徴組孔を多数有した超多小孔質であり、数多くの性能、機能を有した素材を用いた。【０００５】本発明は、珪藻土顆粒・ゼオライト顆粒の公知有用性を緊急災害拡大防止材の用材とした。
【課題を解決するための手段】
【０００６】本発明は、緊急災害拡大防止材として、珪藻土顆粒・ゼオライト顆粒の細孔部に保持させ、分解作用を特徴とした。【０００７】天然素材の珪藻土顆粒・ゼオライト顆粒は、細孔部に吸着保持する特性が、相乗効果となって優れた災害防止材を得ることができた。
珪藻土顆粒・ゼオライト顆粒が有する独自効果の大きい作用が発見された。【０００８】さらに緊急災書拡大防止用材として、持続的効果が得られた。
【発明の効果】
【０００９】本発明の珪藻土顆粒・ゼオライト顆粒の散布効果は、地上・水面災害の拡大防止ができ、緊急災害拡大防止を可能とする。【００１０】珪藻土顆粒・ゼオライト顆粒の組成・性能は、周辺環境衛生対策に効果がある。
【発明を実施するための最良の形態】
【００１１】緊急災害拡大防止の用材は、秋田県北秋田市産地の品質の良さで有名な珪藻土顆粒を用いることが好ましい。ゼオライト顆粒は、品質の良さで有名な秋田県能代市産地を用いるのが好ましい。災害時に多目的・汎用性に実施を可能とし、複合効果作用・酸性に強く溶解性・分解性の存在効果が発揮され、複雑化した緊急災害拡大防止に適して【００１２】珪藻土顆粒・ゼオライト顆粒の体積％に対象物体積％を混合とする。珪藻土顆粒の主成分は、ガラスと同じ珪酸質で平均粒径０、０５ｍｍの無数の孔があいている多孔質で０、１〜０、２マイクロメートルの超徴細孔を有し、吸収性という最大の特性と機能があり、有害質を吸い、複合効果があり、溶解性の有機物等の分解作用があり、存在効果がある。同等にゼオライト顆粒の組成・成分は、公知、災害時の緊急対策において災害拡大防止をなし得る。【００１１】珪藻土顆粒・ゼオライト顆粒は、対象物を処理しても、処理しない状態であっても水面に沈むことから対象物を吸収し、引火性のガス・有毒ガスをも水中に封じ込め低減と消火効果がある。【００１２】地上、水面に事故発生をした液体、可燃物液体、特定化学物質の液体に珪藻土顆粒・ゼオライト顆粒を散布機で散布し、対象処理物を水中内で処理することにより災害回避を確認できた。
【産業上の利用可能性】
【００１３】現代社会の地上・水面に化学物質・特定化学物質・有毒ガス・可燃性液体の発生した流出事故による災害に応急処理・特段機能の発揮を可能とする。【００１４】自然災害・人的災害から人命・自然環境・周辺環境・住環境を守る事ができ、安心・安全環境を提供する。
(57)【要約】【課題】本発明は、繊維屑・廃プラスチック・汚泥廃棄物の固形化・固定化をして土木資材・建築資材・建設資材に活用することを提供する。液状廃棄物物の液体吸着により安定して取り扱う事が出来る。しかも、高度な設備費用を必要としない無害な環境用材であること。【解決手段】液状物質を珪藻土焼成粒、植物質破片の多孔質体に含浸、吸着させ固形化・固定化し、安定処理をおこなう。本発明は、廃棄物活用をもって環境改善をし、環境保護、保全に貢献することを特徴とする。【選択図】なし【特許請求の範囲】
【請求項１】
繊維屑・廃プラスチック・汚泥廃棄物の固形化と固定化を特徴とした処理方法。
【請求項２】
珪藻土焼成顆粒を用いた廃棄物液体の固形化と固定化を特徴とした処理方法。
【請求項３】
液体廃棄物処理として多孔質の珪藻土、ゼオライト、植物質破片等のシリカ構造に液体廃棄物を浸透させ固形化・固定化することを特徴とした処理方法。
【請求項４】
無害の素材からなることを特徴とし、安全性、経済性、実用性に優れた珪藻土、ゼオライト、植物質破片・セメント等を用途に応じて組み合わせることを特徴とした環境用材。
【請求項５】
前記、請求項１から請求項４において本発明の趣旨構造を逸脱しない範囲の変更は本発明に含まれる。
【発明の詳細な説明】
【技術分野】
【０００１】本発明は、固形廃棄物質や液体廃棄物質の廃棄物処理は難しく社会問題となっている。係る処理技術は、多孔質構造の向上を図った物質に液体廃棄物を固形化・固定化することにより、安定処理をすることができ、廃棄物による環境への影響を低減する。
【背景技術】
【０００２】熱分解炉での固形廃棄物処理の方法がある。液状物質の処理方法は様々あるが設備の規模や処理能力に問題。熱処理は、不燃液体の炉内への直接投入は難しい。
【発明の開示】
【発明が解決しようとする課題】
【０００３】液体廃棄物による汚染が環境問題となっている。環境悪化の対策として設備、機材の投入はされているものの液体廃棄物の処理は難しく処理量や処理料等十分な処理対策にいたっていない。液体廃棄物の解決について数多くの提案がなされ、実用化されてはいるものの設備投資額と多大なる費用を要している。
【問題を解決するための手段】
【０００４】珪藻土焼成粒・ゼオライト等の多孔質物質に液体物を含浸させする。
【０００５】本発明は、特願２００５−３６５８８６を活用したもの。
【０００６】珪藻土は、秋田県北秋田市から算出される多孔質珪藻土、ゼオライトは、秋田県能代市二ツ井より産出される鉱物の多孔質構造での処理が望ましい。
【０００７】本発明は、向上させた多孔質の機能、性能と珪藻土、ゼオライト、植物の有用性を環境用材としての提供を目的とする。
【発明の効果】
【０００８】多孔質体気孔に液体廃棄物を含浸させることにより、気孔部分が作用し、固形化・固定化され安定した処理により環境への影響を低減する。
【０００９】天然素材の珪藻土、ゼオライト、植物質破片の有用な特徴と細孔部と吸着保存効果はこれまでにない優れた環境用材を得ることができた。
【００１０】多孔質に液体を含浸させることにより安定し、しかも安全性、経済性に優れた実用環境用材ができた。
【発明を実施するための最良の形態】
【００１１】本発明は、珪藻土を直径２ミリメートル程度の略均一粒状に形成し、約１０００度で焼いた多孔質。セラミックの個々の孔は連続している。その体積の約７０パーセントが微細な気孔で占められており、目詰まりのない最大の特性から有害物質を扱う吸着効果がある。【００１２】珪藻土、ゼオライト、植物質破片使用で液体有害物質を固形化・固定化される処理方法を特徴とする【００１３】本発明の環境用材は、天然多孔質物質をベ−スとしており無害を特徴とする。
【産業上の利用可能性】
【００１４】本発明に用いた廃棄物用材の資源の利活用は、廃棄処理物質の低減がはかれる。
液状廃棄物、液体廃棄物の固形化・固定化が容易であり、廃棄物影響を低減する。
液状物質、液体廃棄物の処理に利用可能性を持ち、土木資材・建築資材・建設資材の利用を提案する。。
【表１】
2012176391.tif 000002
【表２】
2012176391.tif 000003
(57)【要約】【課題】下水汚泥焼却灰の処分には多額の費用がかかって下水道事業経営を圧迫しているので、この費用を低減できる新規の処分方法を提供する。【解決手段】下水汚泥焼却灰が持つ性状に有害物溶出抑制や加水、造粒の加工をして機能を追加すると、畜産業者の飼育する家畜の糞尿処理に使用する副資材となる。現在畜産業者は飼料価格高騰のため経営が圧迫され、家畜の糞尿処理に使う副資材も入手ができなくなっている。そのため畜産業者は安価な副資材を必要としているので、下水汚泥焼却灰を畜産業者に有償売却して、処分費をかけずに下水汚泥焼却灰を処分できる。【選択図】なし【特許請求の範囲】
【請求項１】
動物の糞尿処理に使用して処分することを特徴とする下水汚泥焼却灰の処分方法
【発明の詳細な説明】
【技術分野】
【０００１】
本発明は下水汚泥焼却灰の処分方法に関する。
【背景技術】
【０００２】
従来、下水汚泥焼却灰はブロック・タイルの建設資材等に加工したり、セメントの原料としたり、最終処分場に埋立てをするなどして処分している。
【先行技術文献】
【特許文献】
【０００３】
【特許文献１】特開２００9−270059号,特開２００7−306844号
【発明の概要】
【発明が解決しようとする課題】
【０００４】
下水汚泥焼却灰を処分するには費用が必要である。すなわち下水汚泥焼却灰を原料としてブロック・タイルの建設資材等に加工する加工費、或いは下水汚泥焼却灰をセメント原料として委託処分する処分費、下水汚泥焼却灰を最終処分場へ埋立て処分する処分費がそれぞれ必要である。これらの下水汚泥焼却灰の処分費用が下水道事業の負担となっているので、処分費用の低減に役立つ新規の下水汚泥焼却灰の処分方法が必要となっている。
【課題を解決するための手段】
【０００５】
下水汚泥焼却灰を畜産業者が飼育する家畜の糞尿処理に使うオガコ・カンナ屑・もみ殻等の代替品として有償売却し処分する。
【発明の効果】
【０００６】
本発明による処分方法をとれば、下水汚泥焼却灰を畜産業者に処分費用を支払わない有償売却によって処分できるので、下水汚泥焼却灰を処分するために必要であった費用を節約できる。
【発明を実施するための形態】
【０００７】
下水汚泥焼却灰は排出事業所によって品質にばらつきが有るので、家畜の糞尿処理に使用するには、使用方法に合致した品質と用途に適した形状に加工する必要がある。
この発明による下水汚泥焼却灰の処分方法は家畜の糞尿処理を経て堆肥となって最終は農地に還元されるため、有害物の溶出基準を規定した土壌環境基準を満足する品質でなければならない。そのため下水汚泥焼却灰が土壌環境基準を越えて有害物を溶出する場合には、ポリ硫酸第二鉄・硫酸第一鉄・チオ硫酸ナトリウム等の薬剤を加えて有害物溶出抑制する必要がある。一方有害物を溶出しない場合には溶出抑制加工をする必要はない。
また畜産業者は下水汚泥焼却灰をオガコ・カンナ屑・もみ殻等の代替品として、家畜の敷料や滑り止め、バーンクリーナや畜舎内へ散布して使用する。下水汚泥焼却灰は形状が粉末なので、畜舎内に粉塵が舞い上がり家畜の健康に悪影響を及ぼす場合がある。そこで加水・固化・造粒など粉塵が飛散しない加工をする必要がある。しかし家畜の糞尿に直接下水汚泥焼却灰を混ぜ込む時には粉塵の飛散対策は必要ない。
前記の品質と形状を加工する方法を選択して加工した、あるいは加工しない下水汚泥焼却灰はオガコ・カンナ屑・もみ殻以上の水分吸収能力が有るので、家畜糞尿の醗酵堆肥化の副資材としてオガコ・カンナ屑・もみ殻よりも有利に使用できる。また下水汚泥焼却灰は粉塵が飛散しないように加工してあるので家畜に悪い影響が及ばないことも畜産業者へ販売する好条件になる。現在畜産業者は飼料価格高騰のため経営が圧迫され、家畜の糞尿処理に使う副資材も入手ができなくなっている。そのため畜産業者は安価な副資材を必要としているので、下水汚泥焼却灰を畜産農家に販売できる状況下にある。
本発明は、下水汚泥焼却灰を畜産農家に売却して処分するので、下水汚泥焼却灰の処分費用が要らなくなり、下水道事業の負担を軽くする処分方法である。
また下水汚泥焼却灰を家畜の糞尿処理に使って処分する方法に代えて、下水汚泥焼却灰を犬や猫などのペットの糞尿処理に使って処分することもできる。
さらに下水汚泥焼却灰を動物の糞尿処理に使用する代わりに、下水汚泥焼却灰の水分吸収能力を利用して有機廃棄物の醗酵処理に使用することもできる。
(57)【要約】【課題】運搬・移動によるショッピングカ−・台車・荷車等の集材・運材・資材等の運搬・移動装置のアタッチメント交換機能連結システム構造は、傾斜地・階段の昇降時・砂利地・降雪地の運搬・移動の一連維持を可能とし、作業を迅速に行うことから作業性・能率性・効率性・生産性の向上を提供する。【解決手段】一台集中操作の多目的使用条件を兼ね備えたアタッチメント交換機能装置は、運搬・移動作業の事故・トラブルによる作動停止や危険極まりない作業条件の回避構造を特徴とし、安心・安全・事故防止・作業性・能率性・効率性・生産性・省力化の向上が得られる。【選択図】なし【特許請求の範囲】
【請求項１】
ショッピングカ−・台車・荷車等の集材・運材・資材運搬の移動の容易さを備えたアタッチメント交換装置を特徴とする。
【請求項２】
上記記載の構造装置は、使用目的によってキャタピラの取り付け・キャスタの取り付け・降雪時の橇（そり）の取り付けのスム−ズなアタッチメント交換機能装置を特徴とした。
【請求項３】
請求項１、２による運搬装置は、傾斜地・階段の昇降時・砂利地・降雪地の移動保持を特徴とする。
【請求項４】
請求項１から請求項３におけるアタッチメント交換装置機能を引っ込め・取り付けを備え、使用の移動トラブルの回避構造を特徴とする。
【請求項５】
本発明構造による趣旨を逸脱しない範囲の変更は、本発明に含まれる。
【発明の詳細な説明】
【技術分野】
【０００１】本発明は、ショッピングカ−・台車・荷車等の集材・運材・資材等の運搬・移動の容易さを備えたアタッチメント交換機能装置に関するものである。
【背景技術】
【０００２】従来、ショッピングカ−・台車・荷車・集材・運材・資材運搬に傾斜地・階段の昇降時・砂利地・降雪地の運搬・移動にアタッチメント交換機能装置が望まれていた。
【発明の開示】
【発明が解決しようとする課題】
【０００３】本発明は、上述の運搬移動を一台の多目的使用を兼ね備えたアタッチメント交換機能装置により、作業性・能率性・効率性・生産性向上を図る。【０００４】上記構造成形は、事故防止・安心・安全な装置の移動手段でスムーズ運搬・移動に対応できる。
【問題を解決するための手段】
【０００５】この発明は、運搬・移動装置の伝導システム連結機構を搭載し、構成されていることを特徴とする。
【０００６】この発明は、駆動設計仕様を配置し、運搬・移動装置をアタッチメント交換機能装置は、一台に用いた搭載編成を特徴とする。
【０００７】上記装置は、一体構造を特徴とする。
【発明の効果】
【０００８】本発明は、上述のように、運搬・移動機能にアタッチメント交換機能の連結システム構成構造を完成させ、運搬・移動を迅速に作業ができることから作業性・能率性・効率性・生産性の向上が得られる。
【０００９】本発明の運搬・移動構造装置は、スム−ズな機能装置を特徴とする。
【００１０】本発明の運搬・移動構造装置は、傾斜地でも水平に保持することで、作業能率・安心・安全を提供する。
【発明を実施するための最良の形態】
【００１１】本発明の運搬・移動装置に適合した整合構造を備え、さらにはアタッチメントシステム構造で連結できる。【００１２】本発明のショッピングカ−・台車・荷車等の集材・運材・資材運搬に本装置の実施形態は実施済であり、システム構造を決定する一連の機能構造をもつ全体構造を維持する。各機能に連結された実施例であり多くの詳細形態の加えられる構造趣旨を逸脱しない範囲の変更は、本発明に含まれる。
【産業上の利用可能性】
【００１３】本発明の運搬・移動装置は、機能的にアタッチメント交換機能構造のシステム化を提供するものである。よって安心・安全・作業性・能率性・効率性・生産の向上・省力化が得られる。
(57)【要約】      （修正有）【課題】ヒートポンプ方式のカーエアーコン冷房は、日差しの厳しい時期では、カーエアーコンの負荷が大きくなり燃費悪化とバッテリーの大きな消耗があったため、エアーコンの負荷が大きくなったときに気化熱で車室内の温度を下げ、燃費を改善しバッテリーの消耗を少なくする車体冷却装置を提供する。【解決手段】車体先端にノズルを設置し、そこからミストを噴射しその気化熱により車体表面の温度を下げ、カーエアーコンの負荷を低減する。【選択図】なし【特許請求の範囲】
【請求項１】
2012176740.tif 000002
【発明の詳細な説明】
【技術分野】
【０００１】本発明は、自動車の冷房装置に関する。
【背景技術】
【０００２】従来はヒートポンプによる冷風で車内温度を低下させる方法のみだった。
【発明の概要】
【発明が解決しようとする課題】
【０００３】従来はヒートポンプによる冷風で車内温度を低下させる方法のみだったため、日差しの厳しい時期では、エアーコンの負荷が大きくなり燃費悪化とバッテリー消耗が問題であった。【０００４】本発明はエアーコンの負荷が大きくなったときに気化熱で車室内の温度を下げ、燃費を改、善しバッテリーの消耗を少なくすることを目的にするものである。
【課題を解決するための手段】
【０００５】本発明は上記目的を達成するために、車体表面にミストを噴出できるノズルを設け、冷却水をノズルに送るためのポンプと冷却水タンクを設け、冷却水噴射時間と噴射間隔を制御する制御装置を設けたものである。【０００６】上記の課題解決手段による作用は、車体表面に取り付けられたノズルよりミストがボンネットとフロントガラスに吹き付けられ、そのミストが蒸発する際の気化熱によりボンネットとフロントガラスの熱が低下し車室内の温度上昇が抑えられ、エアーコンの負荷が減少する。【０００７】また、フロントガラス下面に温度センサーを設置しその温度データを基に冷却ミスト噴射時間と噴射間隔を制御する制御装置を有する。【０００８】また、エアーコンで排出される水を冷却水タンクに導く水路を有する。【０００９】また、冷却水タンクの補給が車室内からできるタンクの構造になっている。
【発明の効果】
【００１０】車体表面を冷却水のミストで覆いその気化熱により車体表面を冷却することにより、車室内の温度上昇を抑えカーエアーコンの負荷を低減し燃費向上とバッテリー消耗を抑えられる。
【図面の簡単な説明】
【００１１】
【図−１】本装置の実施例を示す。
【発明を実施するための形態】
【００１１２】本発明を実施するための形態について説明する。
【００１３】冷却水タンクはエンジンルームまたは車室内に設置し、ボンネットの先端２箇所にミストを噴出できるノズルが設置され、冷却水タンクに組み付けられたポンプにより冷却水はチューブを通りノズルに供給される。
【００１４】冷却水タンクへの冷却水の補給は手動とカーエアコンで排出される水もタンクに補給される。
【００１５】ノズルから噴出されたミストはボンネットとフロントガラス面を覆うような噴射範囲になっている。
【００１６】噴射時間と噴射間隔はフロントガラス下面に設置された温度センサーのデータを基にコンピュータで自動で制御されるオートモードと運転者が操作する手動モードが有りどちらでも選択できる。
【符号の説明】１  ノズル
２  チューブ
３  タンク
４  温度センサー
５  作動制御装置
【図−１】
2012176740.tif 000003
(57)【要約】【課題】ブレーキとアクセルをよく取り違え、大事故を起こしている。【解決の手段】    アクセルを普通に踏めば何ら変わりないが、危険なとき、慌てたときによく、ブレーキとアクセルを踏み込み間違え、車を止めようとするときは、必ずペダルを強くふむ心理があり、これを利用して逆に強く踏むとアクセルが切れて次にブレーキのペダルが働くこととしたものである。【特許請求の範囲】
【請求項１】
従来のブレーキはそのままにして、従来のアクセルに本来のアクセルとブレーキの機能を兼ね備えたもの
【請求項２】
従来のアクセルを踏み込むとスイッチが切れる
【請求項３】
従来のアクセルの先端に従来のブレーキに接続する接続棒を設ける。
【発明の詳細な説明】
【技術分野】
【０００１】    この分野はアクセルそのものにブレーキを取り付けたアクセルに関するものである。
【背景分野】
【０００２】    従来はアクセルとブレーキが、夫々単独機能であった。
【先行技術文献】
【０００３】
【発明の概要】
【発明が解決しようとする課題】
【０００４】    これには、つぎのような欠陥があった。
アクセルとブレーキをよく踏み間違えて、停車しないことに気付きと余計に強くアクセルを踏み大事故に至っている。本発明はこの欠点を取り除くためになされた物である
【課題を解決する手段】
【０００５】    アクセルに遮断具を設け、アクセルの先にブレーキと接続したものである。
【発明の効果】
【０００６】    アクセルとブレーキをいくら踏み間違っても、先にエンジンと遮断され即、続いてブレーキに接続されているため、即停車し、海中に落ちたり、家屋に突込むことはなく大事故は解消される。
【図面の簡単な説明】
【０００７】
【図１】本発明の斜視図である。
【発明を実施するための形態】
【０００８】    以下、本発明を実施するための形態を説明する。
アクセルの接続上にアクセルを踏めばその機能が遮断若しくは、離脱する遮断具を設け、更にその先端とブレーキと接続していて踏み込むと停車することとしたもの。
【符号の説明】
【０００９】１．アクセルペダル
２．スイッチ
３．ブレーキ接続棒
４．従来のブレーキペダル
【図１】
2012176738.tif 000002
(57)【要約】【課題】ペットボトルなどのキャップを開けるときに開けやすいようにキャップに突起物のハネを設けたハネ付きボトルキャップを提供する。【解決手段】キャップ（１）の表面に１枚〜数枚のハネ（２）を設けたハネ付きボトルキャップを特徴とする。【選択図】図１
2012176799.tif 000002
【特許請求の範囲】
【請求項１】
キャップ（１）に突起物のハネ（２）を設けた、ハネ付きボトルキャップ。
【発明の詳細な説明】
【技術分野】
【０００１】  この発明は飲食物のボトルのキャップに突起物のハネを設けたキャップに関するものである。
【背景技術】
【０００２】  従来のキャップは細く細かい縦線のすべり止めが設けられている。
【先行技術文献】
【０００３】
【発明の概要】
【発明が解決しようとする課題】
【０００４】  これは、このような欠点があった。
未開封のペットボトルなどのキャップを最初に開けるときに手が濡れていたりするとすべって開かなかったり、子供やお年寄りのような力がない人が開けようとするとキツくてなかなか開けづらかった。
本発明は、以上のような欠点をなくすためになされたものである。
【課題を解決するための手段】
【０００５】  キャップ（１）の表面に１枚〜数枚のハネ（２）を設けた。
本発明は以上の構成よりなるハネ付きボトルキャップである。
【発明の効果】
【０００６】  キャップにハネが付いているので手が濡れていたり子供やお年寄りのような力がない人でも容易に無理なく力が入るためキャップを開ける事ができる。
【図面の簡単な説明】
【０００７】
【図１】  本発明の斜視図である
【発明を実施するための形態】
【０００８】    以下、本発明を実施するための形態について説明する。
ボトルキャップ（１）の表面に同じ材質のハネ（２）を１枚〜数枚突起させる。
本発明は以上のような構造である。
これを使用するときは、ハネの部分に指をあてて、開く方向へ回せばよい。
【符号の説明】
【０００９】  １  キャップ
２  ハネ
【図１】
2012176799.tif 000003
(57)【要約】【課題】本発明は、ガラスびんから内容物をスプーン等を使わずに取り出す際に、取り出す量をコントロールしやすいガラスびんを提供することを課題とする。【解決手段】びん口の内側に凹部を設け注ぎ口とする構成とした。【選択図】図２
2012176797.tif 000002
【特許請求の範囲】
【請求項１】
びん口の内側に凹部を設け注ぎ口とするガラスびん。
【発明の詳細な説明】
【技術分野】
【０００１】  この発明は、内容物を意図する量だけ注ぎやすいガラスびんに関する。
【背景技術】
【０００２】  従来のガラスびんのびん口は、全周同じ厚さになっている。
【発明の概要】
【発明が解決しようとする課題】
【０００３】  普通、ガラスびんから内容物を取り出すにはスプーン等を使うが、スプーン等が手元にない場合やスプーン等を汚したくない場合には、ガラスびんを傾けて内容物を取り出すことがある。その場合、ガラスびんを傾け軽くたたいた振動で少しずつ内容物を取り出すが、内容物が意図した量より多く出てしまうことがある。【０００４】  本発明は、ガラスびんから内容物をスプーン等を使わずに取り出す際に、取り出す量をコントロールしやすいガラスびんを提供することを課題とする。
【課題を解決するための手段】
【０００５】  上記の課題を解決するために、本発明のガラスびんは、びん口の内側に凹部を設け注ぎ口とする構成とした。
【発明の効果】
【０００６】  本発明のガラスびんは、それを傾けて内容物を取り出すときに、内容物がびん口から流れ出す際に内容物が作る断面積が小さくなり、流出量のコントロールが容易となる。
【図面の簡単な説明】
【０００７】
【図１】本発明のガラスびんの実施例の側面断面図である。
【図２】本発明のガラスびんの実施例の斜視図である。
【発明を実施するための形態】
【０００８】  本発明の実施の形態は、図１、図２のとおりである。
【符号の説明】
【０００９】  １    びん
２    びん口
３    注ぎ口
【図１】
2012176797.tif 000003
【図２】
2012176797.tif 000004
(57)【要約】【課題】被層成形体を持つ産業廃棄物の生コンスラッジ・戻りコンを主原料とし、珪藻土粕・ゼオライト粕を化合とした汎用性ロング状ブロック枠型成形構造は、物理的な強度を備え・耐水性がある。産業廃棄物ゼロエミッションシステム方法を製造の適用範囲の汎用から、大型枠型製造によっては、産業廃棄物のゼロ化を可能とする。【解決手段】産業廃棄物を利活用として、産業廃棄物を抑制力とする製造技術の開発目的を特徴とする。枠型成形構造物の内部に産業廃棄物の化合原料として、公知・概知組成の珪藻土粕・ゼオライト粕の組成効果を備えたゼロエミッション一体型枠型成形構造の環境機能を提供する。【選択図】なし【特許請求の範囲】
【請求項１】
産業廃棄物の生コンスラッジ・戻りコン・珪藻土粕・ゼオライト粕等のブロック枠型成形構造に固形産業廃棄物を含有することを特徴とする枠型成型材。
【請求項２】
枠型構造物は、主としてロング状固形廃棄物の内在保持を特徴とする枠型成形材。
【請求項３】
枠型成形材を複数組み合せ、廃棄物が枠型内部に密着加工の産廃物を備えたことを特徴とする枠型成形材。
【請求項４】
請求項１から請求項３の枠型上部に蓋の装置をする加工産廃物含有の大型枠型ブロック形状内部に珪藻土粕・ゼオライト粕の囲い込みを特徴とする枠型成形材。
【請求項５】
産業廃棄物を用材としたゼロエミッションシステム方法のロング形状ブロック製造の適用汎用性を特徴とする枠型成形材。
【請求項６】
前記、請求項１から請求項５において本発明の趣旨構造を逸脱しない範囲の変更は本発明に含まれる。
【発明の詳細な説明】
【技術分野】
【０００１】本発明は、産業廃棄物を構築とした防波堤工事・湾岸工事・ストックヤード等の大型ロング形状に適した枠型構造の成形製造方法に関する。
【背景技術】
【０００２】ゼロエミッションシステム方法を活用とした主としての規模拡大としたロング形状ブロックの枠型成形技術は至らなかった。
【発明の開示】
【発明が解決しようとする課題】
【０００３】本発明の目的は、産業廃棄物の利活用によって、廃棄物処理場が延命されることと、ゼロエミッションシステムの導入により、加工性に優れ・物理的な強度・耐水性を充足し安価な構築物として、所望の周辺環境問題の解決に貢献することができる。
【課題を解決するための手段】
【０００４】本発明のゼロエミッションの目的を達成するために、産業廃棄物の生コンスラッジ・戻りコンを原料とし、廃棄物の珪藻土粕・ゼオライト粕の浄化作用効果を汎用性の枠型成形の内部空間に、廃棄物との化合を充填することによる一体型の枠型成形材を提供する。
【発明の効果】
【０００５】本発明による枠型成形は、コンクリ−ト型成形材としての機能を発揮し、物理的な強度、施工等を充足し、周辺の環境問題を解決する。地域資源の廃棄物の有効活用を図り、周辺環境の良好化に寄与する。一体型枠型成形であることから工期の短縮を可能とし、低コスト分野の開発を特徴とする。
【発明を実施するための最良の形態】
【０００６】上記、本発明により二次公害防止対策を不要とする。ゼロエミッションを取り入れた枠型成形空間の内部に公知・概知の組成・性能・効果の珪藻土粕・ゼオライト粕を化合密着加工固形廃棄物充填とする。連結機能をもつロング形状ブロック枠型構造は、工事を容易にする。しかも、完成後の使用・活用の汎用性と美観に優れている。
【産業上の利用可能性】
【０００７】ゼロエミッションの枠型成形材は、防波堤工事・湾岸工事・ストックヤード等ロング形状ブロックの製造は、産業構造に大きな改善効果を与えることと、利用可能性をもつ。
周辺環境に優しく・低コスト分野の開発は、費用対効果の期待・健全な環境効果を得ることを特徴とする。【０００８】本発明の枠型内部に珪藻土粕・ゼオライト粕物質を単一・複合化合することによって、原子力発電所や放射能処理施設、医療機関や研究機関、シェルタ−等放射線被爆可能性の高い遮蔽壁としては、コンクリ−トの性能を超えた放射線遮蔽能力の向上への利用可能性をもつことは、公知・概知の事実であること。【０００９】本発明の構造内部にある公知・概知の組成性能効果の優れた珪藻土粕・ゼオライト粕物質の含有の型枠成形材は、火災時の延焼を遅滞・防止構造から防火への利用可能性をもつ。
(57)【要約】【課題】珪藻土・ゼオライト等の多孔質体をもつ表面積の大きいのを特徴とする素材を油類吸着材・炭化物とする。【解決手段】多孔質体の珪藻土・ゼオライト等に食用油・その他の廃油類を吸着させ加熱することの油類吸着製造方法。一体化により炭化され。珪藻土・ゼオライト等の多孔質体に付着することで炭化物の製造方法。多孔質体の珪藻土の特性は、熱に強い・圧力に強い・酸に溶けない耐久性を発揮する。さらに、加熱によって再利用の継続を可能とし、高度利用化を可能とする。【選択図】なし【特許請求の範囲】
【請求項１】
多孔質体の珪藻土に炭素を付着させる炭化物吸着材。
【請求項２】
多孔質の珪藻土に廃油を含浸させ加熱することにより炭素を付着させる炭化物吸着材。
【請求項３】
多孔質体のゼオライト・多孔質の鉱石・セラミック・ガラス発泡素材などに炭素を付着させる炭化物吸着材。
【請求項４】
請求項１，２，３の吸着材が燃料となる製造方法。
【発明の詳細な説明】
【技術分野】
【０００１】河川・池・沼・海等に油の流出事故が発生している。食堂・工場・住宅等から油の流出事故が生じている。油の回収方法として濾過作用をし、産業廃棄物の珪藻土粕・ゼオライト粕・ガラス発泡素材など産業廃棄物の多孔質体の濾過性・吸着性の特性を環境利用と産業利用をするもの。【０００２】油類吸着処理後の炭化物を燃料としての産業利用。
【背景技術】
【０００３】廃棄物の細孔構造を多く持つ多孔質体の吸着性は強い。【０００４】炭化物の利用に、ヤシガラ破砕炭、木質粉末炭、石炭系ペレット、石炭系粉末炭などの炭化物が利用されている。
【発明の開示】
【発明が解決しようとする課題】
【０００５】油液流出事故などに用いられる吸着剤の多くは、化学製品であり、使用前の在庫時や使用後の処理に経済上および環境上に難点がある。【０００６】多孔質の炭化物は、高温化活用を可能とし、より微細に、より多くの表面積をもって燃焼する。【０００７】産業廃棄物の珪藻土粕・ゼオライト粕・ガラス発泡素材を基材にした炭化物としての活用がないことから、上記素材の一種類、又は二種類以上を含有し、低原価で量産可能な油類吸着材・炭化物の製造方法を提供する。
【課題を解決するための手段】
【０００８】多孔質体に廃油などの油液を含浸し燃焼加熱することで細孔構造部分に炭素を付着させることにより多孔質体を基材とした炭化物を製造することが出来る。【０００９】吸着材となる本発明の浄化機能は表面積の大きさが塩素除去機能、除菌機能、消毒機能とその効果の活用を特徴とした。
【発明の効果】
【００１０】本発明は、産業廃棄物の珪藻土粕・ゼオライト粕・ガラス発泡素材の多孔質と表面積の大きさの特徴を活用とした。炭素を付着させる技術は高性能が発揮され、経済負担も少なく、しかも製造工程は特別な技術を要しないのを特徴とした。【００１１】本発明の油類吸着材は、多孔質体に含浸させる油は廃油であることから周辺環境浄化に取り組むことができる。【００１２】本発明の原料として、埋蔵量の多い珪藻土の珪藻土粕・ゼオライト粕等の多孔質体を用いることから産業廃棄物の処理を軽減可能とする。【００１３】本発明の原料は、天然素材の組成・成分であり有害物質は発生しない。【００１４】他に油類吸着シ−ト、マットの組成物に米糠、大豆、籾殻等の繊維質の微細孔が油分を吸収、保持の機能がある。本発明の製造技術は単純であり高度技術を要しない。
しかも先進的な周辺環境浄化とリサイクルに貢献する。
【発明を実施するための最良の形態】
【００１５】本発明品は、微細孔部を成形し油類吸着作用を有する。【００１６】油類吸着成形のシ−ト・マットの付着活用形態であり汎用性を可能とする。【００１７】多孔質体に油類を含浸させることの単純さと合理的な成形が特徴。【００１８】この実施例については多孔質体の細孔構造や表面化学特性の部分に付着とした特異性の吸着材であり、周辺環境浄化を特徴する。
【産業上の利用可能性】
【００１９】廃油・吸着前の素材自体が交通事故・災害・工場での事故などから発生する油の流出事故・化学液体流出事故などの緊急時の油類吸着シ−ト・マットとして利用できることから在庫自体が緊急の備えとなる。【００２０】油類の常温固化が可能であるため運搬や工程・取扱に有用に活用できる。【００２１】機械のある工場・車の整備場・ガソリンスタンドなど油類の流出が常時起きる場所に常備することで周辺環境に負荷を与えない。【００２２】環境の負荷を考慮した排気のボイラ−や焼却炉・燃焼炉を同時活用することで第一段階の油類吸着済みを燃料・熱量の利用や、第二段階の炭化済み素材を炉の高温化への利用、第三に燃焼残渣を再度油類吸着剤として利用できる。
(57)【要約】【課題】傾斜機能基盤の積層組成物質とその形成物質の製造において、溶融金属の耐食性・熱伝導低減の傾斜材の製造方法を提供する。しかも、環境保全対策に有効な活用を特徴とする。【解決手段】上記記載の本発明は、原料が安価で安全性と安心が得られる。傾斜機能基盤材の積層形成組成物を連続的・段階的に変化する傾斜機能の積層処理材を特徴とする。【選択図】なし【特許請求の範囲】
【請求項１】
傾斜機能基盤材の形成組成物質を特徴する積層接着組成物質材。
【請求項２】
請求項１の組成物質に無機質系の充填材を添加した組成物系を特徴とする請求項１に記載の傾斜機能基盤材。
【請求項３】
前記、組成物質材の表面にコウテングされた充填剤の添加を可能としたことを特徴とする傾斜機能基盤材。
【請求項４】
請求項１から請求項３に記載の連続的・段階的な組成物の傾斜材の製造方法をして成る継ぎ目のない傾斜機能材を特徴とした趣旨を逸脱しない範囲の変更は本発明に含まれる。
【発明の詳細な説明】
【技術分野】
【０００１】本発明は、耐火性・耐熱性・断熱性の組成物質に優れ、その形成物質の形成が連続的・段階的に変化する傾斜機能基盤組成物質の製造方法とその形成物質の傾斜機能基盤材に関する。
【背景技術】
【０００２】従来の耐火性・耐熱性・断熱性の原料からは、トルエン・キシレン・ホルムアルデヒド等の揮発性化学物質が大気中に放散され、人体に化学物質過敏症・アレルギ−等を引き起こし健康被害が問題となっている。ことから、有害物質の飛散しない、耐火性・耐熱性・断熱性の組成物質の開発提案されている。【０００３】本発明は、背景技術を踏まえた、上記、傾斜機能基盤材組成物質の複合形成物質の製造とその傾斜機能基盤積層材の効果的手法が提案されている。
【発明の開示】
【発明が解決しようとする課題】
【０００４】本発明の傾斜機能基盤積層組成物質は、耐火性・耐熱性・断熱性を有し、人体の健康被害を回避する形成物質とその製造方法の提供することを目的とする。
【課題を解決するための手段】
【０００５】本発明は、上記課題解決対応を多目的用に達成するために、傾斜機能基盤材組成物質とその傾斜機能材基盤処理材は、公知有効である連続的・段階的に変化を特徴とする一体物の耐火性・耐熱性・断熱性の積層材を選択することで、環境保全対策上有効な組成物質とその形成物質の製造方法を提供する。
【発明の効果】
【０００６】本発明の傾斜機能基盤の組成物質は、１種類又は２種類以上の組み合わせ配合構成によって安定化し、形成物質の製造に効果を発揮し、環境保全対策に効果が得られる。【０００７】本発明の傾斜機能基盤材組成物質は、公知の耐火性・耐熱性・断熱性効果・高密度配線・多層回路基盤における断線・ショート等の発生回避に適している。【０００８】本発明の一体物傾斜材機能基盤財組成物質は、セラミックス形成体を構成し、溶融金属の耐食性と断熱効果ができる。【０００９】本発明の傾斜機能基盤材成形物質は、上記機能を発揮し、安価で備え付け、しかも、作業能率を考慮とした。
【発明を実施するための最良の形態】
【００１０】本発明の傾斜機能材基盤組成物質とその成形物質の実施形態は、公知の多目的に活用できることを特徴とする。【００１１】本実施形態は、成組成物質とその形成物質の素材選択は、公知である耐火断熱材・耐火充填材等に好適で環境保全対策に有効な活用を特徴とする。【００１２】実施形態は、上記記載物質含有割合を工法特許とし、硬化状態保持長期間耐用ができる。しかも、環境保全対策に有効な活用から安価で安全、安心を特徴とする。【００１３】実施形態は、公知の組成成分の安心・安全な耐火性・難燃性・断熱性・耐水性等に強度を有した形成物の仕上げ材を特徴とする。【００１４】実施形態は、製造コスト削減の実施が得られる。公知の成形体の特徴から、熱伝導率が低く圧縮に強く、形状・素材等によって汎用用途対応が可能なことを特徴とする。
【産業上の利用可能性】
【００１５】施工性に優れていることから、回路基盤材・絶縁部材分野等の用途を選ばず、作業効率が良い。【００１６】上記記載の様々な活用ができ、しかも、安価で安心・安全な公知の傾斜機能基盤材積層組成物質とその形成物質とその製造方法を提供し、産業上の利用に貢献できる。
(57)【要約】【課題】本発明は、無機質を主成分として多孔質材の防水・劣化防止を安全、効果、効率、安価な処理方法と処理装置な有害物処理を図る。しかも、高額な設備費用を必要としない、安易にできることを特徴とする。【解決手段】無機質を主成分とし、多孔質・混合層に凝固促進し、多孔質の無孔化凝固促進のコ−テイングにより多孔質材の孔に無機化合物質を物理的処理することによって無孔化が実現できる。【選択図】なし【特許請求の範囲】
【請求項１】
無機質物質を主成分とした添加物質を浸透材組成してなることを特徴とする多孔質材の防水・劣化防止方法。
【請求項２】
無機質物質を主成分として、多孔質層に接触させ、混合層に凝固促進をしてなることを特徴とする。
【請求項３】
前記、多孔質材に浸透材をコ−ティグして多孔質を無孔化してなることを特徴とする。
【請求項４】
前記、コ−ティング法には、スプレ−コ−ティング法・ロ−ルコ−ティング法・スピンコ−ティング法等の何れか、または、併用を特徴とする多孔質材の防水・劣化防止処理方法。
【請求項５】
前記、建設工事、一般工事を含む一種または複種類からなる多孔質材防水・劣化処理方法。
【請求項６】
前記、コンクリ−ト材料・多孔質材料・樹脂材料等の単品・組み合わせ・張り合わせ・積層等で成形された物質をも含んでなることを特徴とした請求項１から５記載の多孔質材の防水・劣化処理方法。
【請求項７】
上記においての趣旨を逸脱しない範囲の変更は、本発明に含まれる。
【発明の詳細な説明】
【技術分野】
【０００１】本発明は、多孔質材物質の多孔質を無孔化してなる防水・劣化処理に関する。【０００２】多孔質材物質は、無数の孔から水分が浸透し、亀裂・劣化の原因になりうる。
【背景技術】
【０００３】上記の劣化防止方法に、有機化合物の単品・組み合わせの処理方法が公知・概知手段方法としている。【０００４】かかる問題処理として各種技術開発がなされてきた。しかし、十分な処理対策に至っていない。
【発明の開示】
【発明が解決しようとする課題】
【０００５】無機質物質を主成分とした添加物質を浸透材組成してなる多孔質材の防水・劣化防止処理がなされている。
発明は、接触させてなる無孔化処理をすることによって、防水・劣化の処理効果が得られる。【０００６】有機化合物は、紫外線による劣化現象が生じ解決に至っていない。【０００７】本発明は、多孔質材の無孔化有用性を請求項１から請求項６を環境改善剤としての提供を目的とする【０００８】多くの多孔質材に防水機能の付与を目的とし、安全・安心・安価施工の防水・劣化処理方法を提供する。
【課題を解決するための手段】
【０００９】上記課題を解決する方法は、無機質凝固材を多孔質材にコ−ティングする事により多孔質材を無孔化する。【００１０】発明は、多孔質の防水・劣化防止処理方法の無孔化促進にある。することでの効果は、空隙率の多孔質構造機能を無孔活用したものを特徴とする。
本発明の浄化材は、環境浄化剤であり環境汚染はない。【００１１】本発明は、多孔質の無孔化処理は無機質物質を多孔質層に接触させ、凝固促進をしてなる機能の有効性は資源循環型社会の推進とする。【００１２】本発明は、多孔質材の無孔化を可能とし、有効活用は確立された。
【発明の効果】
【００１３】本発明の無孔化処理方法、ならびに、処理効果は、天然素材の、有用な特徴と特性から、独自効果の大きい作用が発見された。【００１４】さらに長期間の使用に持続的効果の優れた処理効果の持続が得られることが発見された。【００１５】有用な多孔質体の無孔化物質処理材は、安全性、経済性ともに優れ、低コストでしかも実用に優れた従来にない環境用剤を供することができる。【００１６】さらに、無機質コ−ティングによる耐久・カビ等の発生予防・維持・管理のコスト削減が図られる。特段コンクリートの補強に効果的である。
【発明を実施するための最良の形態】
【００１７】本発明の多孔質材の防水・劣化防止処理方法は、無機質を主成分にしてなることを特徴とする。【００１８】さらに、混合層に凝固促進反応となる。【００１９】このことは、多孔質材を無機質主成分とした浸透材主成分成分を組成していることで無孔化される。
【産業上の利用可能性】
【００２０】無機質物質は、粒子形状組成から防水機能に適していない。
本発明は、多孔質材の防水・劣化防止処理を無機化合物コ−テイング処理で強度の増強が図られる。
コンクリ−ト建物・橋の構造物等に係る多孔質無孔化処理の無機質コ−テイング方法は、コンクリートの劣化防止が図れる。